【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置において、
ジャンルにより分類される複数の施設種別を情報検索の検索対象項目として登録する検索対象項目登録手段と、
前記検索対象項目登録手段により検索対象項目として登録された施設種別の一覧と、前記検索対象項目として登録されていない施設種別の一覧とを区別して前記表示部に表示する検索対象項目一覧表示手段と、
前記表示部に一覧表示された前記検索対象項目として登録されていない施設種別のうち指定された施設種別を前記検索対象項目として追加登録する項目追加手段と、
前記地図画像を前記表示部に表示する際に、前記検索対象項目として登録された施設種別の施設を前記表示部の地図画像上に表示する施設表示手段と、
を備えたことを特徴とするナビゲーション装置。
【請求項２】
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置において、
ジャンルにより分類される複数の施設種別を情報検索の検索対象項目として登録する検索対象項目登録手段と、
前記検索対象項目登録手段により検索対象項目として登録された施設種別の一覧を前記表示部に表示する検索対象項目一覧表示手段と、
前記表示された施設種別の中から一時的に検索対象から除外する施設種別を設定する非検索対象設定手段と、
前記地図情報の検索対象範囲から、前記検索対象項目として登録された施設種別のうち前記非検索対象設定手段により検索対象から一時的に除外されていない施設種別の施設を検索する検索手段と、
前記検索手段による検索結果を前記表示部に表示する検索結果表示手段と、
を備えたことを特徴とするナビゲーション装置。
【請求項３】
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置において、
ジャンルにより分類される複数の施設種別を情報検索の検索対象項目として登録する検索対象項目登録手段と、
前記検索対象項目登録手段により検索対象項目として登録された施設種別の一覧と、前記検索対象項目として登録されていない施設種別の一覧とを区別して前記表示部に表示する検索対象項目一覧表示手段と、
前記表示部に一覧表示された前記検索対象項目として登録されていない施設種別のうち指定された施設種別を検索対象に追加する項目追加手段と、
前記地図情報の検索対象範囲から前記検索対象項目として登録及び追加された施設種別の施設を検索する検索手段と、
前記検索手段による検索結果を前記表示部に表示する検索結果表示手段と、
を備えたことを特徴とするナビゲーション装置。
【請求項４】
前記情報記憶手段は、各種施設の地図上の位置情報を含むランドマーク情報を記憶しており、
前記ランドマーク情報に基づいて、前記地図画像上に施設種別に応じたランドマーク画像を表示するランドマーク表示手段を備え、
前記検索対象項目登録手段は、前記地図画像から多目的施設のランドマーク画像が指定されると、その多目的施設に含まれる個々の施設の施設情報を前記表示部に一覧表示し、前記表示された施設情報の中から選択された施設情報に対応する施設種別を検索対象項目として登録することを特徴とする請求項１〜３の何れか一項に記載のナビゲーション装置。
【請求項５】
前記検索対象項目登録手段は、目的地として設定された施設の施設種別を検索対象項目として登録することを特徴とする請求項１〜４の何れか一項に記載のナビゲーション装置。
【請求項６】
前記検索対象項目一覧表示手段により一覧表示された施設種別のうち重要項目となる施設種別を指定する重要項目指定手段を備え、
前記検索手段は、前記検索対象範囲に前記重要項目として指定された施設種別の施設が存在しなかった場合に、前記重要項目として指定された施設種別が検索されるまで前記検索対象範囲を広げて検索を行うことを特徴とする請求項２〜５の何れか一項に記載のナビゲーション装置。
【請求項７】
前記検索対象項目登録手段は、前記登録が行われた日時情報を併せて登録し、
前記登録が行われた日時の範囲を指定する日時範囲指定手段を備え、
前記検索手段は、前記指定された日時範囲に登録された施設種別を検索対象として、前記地図情報の検索対象範囲から検索することを特徴とする請求項２に記載のナビゲーション装置。
【請求項８】
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置における地図画像の表示方法であって、
ジャンルにより分類される複数の施設種別を情報検索の検索対象項目として登録する工程と、
前記検索対象項目として登録された施設種別の一覧と、前記検索対象項目として登録されていない施設種別の一覧とを区別して前記表示部に表示する工程と、
前記表示部に一覧表示された前記検索対象項目として登録されていない施設種別のうち指定された施設種別を前記検索対象項目として追加登録する工程と、
前記地図画像を前記表示部に表示する際に、前記検索対象項目として登録された施設種別の施設を前記表示部の地図画像上に表示する工程と、
を含むことを特徴とする表示方法。
【請求項９】
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置における情報検索方法であって、
ジャンルにより分類される複数の施設種別を情報検索の検索対象項目として登録する工程と、
前記検索対象項目として登録された施設種別の一覧を前記表示部に表示する工程と、
前記表示された施設種別の中から一時的に検索対象から除外する施設種別を設定する工程と、
前記地図情報の検索対象範囲から、前記検索対象項目として登録された施設種別のうち検索対象から一時的に除外されていない施設種別の施設を検索する工程と、
前記検索の結果を前記表示部に表示する工程と、
を含むことを特徴とする情報検索方法。
【請求項１０】
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置における情報検索方法であって、
ジャンルにより分類される複数の施設種別を情報検索の検索対象項目として登録する工程と、
前記検索対象項目として登録された施設種別の一覧と、前記検索対象項目として登録されていない施設種別の一覧とを区別して前記表示部に表示する工程と、
前記表示部に一覧表示された前記検索対象項目として登録されていない施設種別のうち指定された施設種別を検索対象に追加する工程と、
前記地図情報の検索対象範囲から前記検索対象項目として登録及び追加された施設種別の施設を検索する工程と、
前記検索の結果を前記表示部に表示する工程と、
を含むことを特徴とする情報検索方法。
【手続補正２】
【補正対象書類名】明細書
【補正対象項目名】０００６
【補正方法】変更
【補正の内容】
【０００６】
上記課題を解決するため、請求項１に記載の発明は、
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置において、
ジャンルにより分類される複数の施設種別を情報検索の検索対象項目として登録する検索対象項目登録手段と、
前記検索対象項目登録手段により検索対象項目として登録された施設種別の一覧と、前記検索対象項目として登録されていない施設種別の一覧とを区別して前記表示部に表示する検索対象項目一覧表示手段と、
前記表示部に一覧表示された前記検索対象項目として登録されていない施設種別のうち指定された施設種別を前記検索対象項目として追加登録する項目追加手段と、
前記地図画像を前記表示部に表示する際に、前記検索対象項目として登録された施設種別の施設を前記表示部の地図画像上に表示する施設表示手段と、
を備えたことを特徴としている。
【手続補正３】
【補正対象書類名】明細書
【補正対象項目名】０００７
【補正方法】変更
【補正の内容】
【０００７】
請求項２に記載の発明は、
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置において、
ジャンルにより分類される複数の施設種別を情報検索の検索対象項目として登録する検索対象項目登録手段と、
前記検索対象項目登録手段により検索対象項目として登録された施設種別の一覧を前記表示部に表示する検索対象項目一覧表示手段と、
前記表示された施設種別の中から一時的に検索対象から除外する施設種別を設定する非検索対象設定手段と、
前記地図情報の検索対象範囲から、前記検索対象項目として登録された施設種別のうち前記非検索対象設定手段により検索対象から一時的に除外されていない施設種別の施設を検索する検索手段と、
前記検索手段による検索結果を前記表示部に表示する検索結果表示手段と、
を備えたことを特徴としている。
【手続補正４】
【補正対象書類名】明細書
【補正対象項目名】０００８
【補正方法】変更
【補正の内容】
【０００８】
請求項３に記載の発明は、
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置において、
ジャンルにより分類される複数の施設種別を情報検索の検索対象項目として登録する検索対象項目登録手段と、
前記検索対象項目登録手段により検索対象項目として登録された施設種別の一覧と、前記検索対象項目として登録されていない施設種別の一覧とを区別して前記表示部に表示する検索対象項目一覧表示手段と、
前記表示部に一覧表示された前記検索対象項目として登録されていない施設種別のうち指定された施設種別を検索対象に追加する項目追加手段と、
前記地図情報の検索対象範囲から前記検索対象項目として登録及び追加された施設種別の施設を検索する検索手段と、
前記検索手段による検索結果を前記表示部に表示する検索結果表示手段と、
を備えたことを特徴としている。
【手続補正５】
【補正対象書類名】明細書
【補正対象項目名】０００９
【補正方法】変更
【補正の内容】
【０００９】
請求項４に記載の発明は、請求項１〜３の何れか一項に記載の発明において、
前記情報記憶手段は、各種施設の地図上の位置情報を含むランドマーク情報を記憶しており、
前記ランドマーク情報に基づいて、前記地図画像上に施設種別に応じたランドマーク画像を表示するランドマーク表示手段を備え、
前記検索対象項目登録手段は、前記地図画像から多目的施設のランドマーク画像が指定されると、その多目的施設に含まれる個々の施設の施設情報を前記表示部に一覧表示し、前記表示された施設情報の中から選択された施設情報に対応する施設種別を検索対象項目として登録することを特徴としている。
【手続補正６】
【補正対象書類名】明細書
【補正対象項目名】００１０
【補正方法】変更
【補正の内容】
【００１０】
請求項５に記載の発明は、請求項１〜４の何れか一項に記載の発明において、
前記検索対象項目登録手段は、目的地として設定された施設の施設種別を検索対象項目として登録することを特徴としている。
【手続補正７】
【補正対象書類名】明細書
【補正対象項目名】００１１
【補正方法】変更
【補正の内容】
【００１１】
請求項６に記載の発明は、請求項２〜５の何れか一項に記載の発明において、
前記検索対象項目一覧表示手段により一覧表示された施設種別のうち重要項目となる施設種別を指定する重要項目指定手段を備え、
前記検索手段は、前記検索対象範囲に前記重要項目として指定された施設種別の施設が存在しなかった場合に、前記重要項目として指定された施設種別が検索されるまで前記検索対象範囲を広げて検索を行うことを特徴としている。
【手続補正８】
【補正対象書類名】明細書
【補正対象項目名】００１２
【補正方法】変更
【補正の内容】
【００１２】
請求項７に記載の発明は、請求項２に記載の発明において、
前記検索対象項目登録手段は、前記登録が行われた日時情報を併せて登録し、
前記登録が行われた日時の範囲を指定する日時範囲指定手段を備え、
前記検索手段は、前記指定された日時範囲に登録された施設種別を検索対象として、前記地図情報の検索対象範囲から検索することを特徴としている。
【手続補正９】
【補正対象書類名】明細書
【補正対象項目名】００１３
【補正方法】変更
【補正の内容】
【００１３】
請求項８に記載の発明は、
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置における地図画像の表示方法であって、
ジャンルにより分類される複数の施設種別を情報検索の検索対象項目として登録する工程と、
前記検索対象項目として登録された施設種別の一覧と、前記検索対象項目として登録されていない施設種別の一覧とを区別して前記表示部に表示する工程と、
前記表示部に一覧表示された前記検索対象項目として登録されていない施設種別のうち指定された施設種別を前記検索対象項目として追加登録する工程と、
前記地図画像を前記表示部に表示する際に、前記検索対象項目として登録された施設種別の施設を前記表示部の地図画像上に表示する工程と、
を含むことを特徴としている。
【手続補正１０】
【補正対象書類名】明細書
【補正対象項目名】００１４
【補正方法】変更
【補正の内容】
【００１４】
請求項９に記載の発明は、
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置における情報検索方法であって、
ジャンルにより分類される複数の施設種別を情報検索の検索対象項目として登録する工程と、
前記検索対象項目として登録された施設種別の一覧を前記表示部に表示する工程と、
前記表示された施設種別の中から一時的に検索対象から除外する施設種別を設定する工程と、
前記地図情報の検索対象範囲から、前記検索対象項目として登録された施設種別のうち検索対象から一時的に除外されていない施設種別の施設を検索する工程と、
前記検索の結果を前記表示部に表示する工程と、
を含むことを特徴としている。
【手続補正１１】
【補正対象書類名】明細書
【補正対象項目名】００１５
【補正方法】変更
【補正の内容】
【００１５】
請求項１０に記載の発明は、
地図情報を記憶する情報記憶手段を有し、前記地図情報から情報検索により目的地を設定し、自車位置から前記設定された目的地までの誘導経路を前記地図情報に基づく地図画像とともに表示部に表示して経路案内を行うナビゲーション装置における情報検索方法であって、
ジャンルにより分類される複数の施設種別を情報検索の検索対象項目として登録する工程と、
前記検索対象項目として登録された施設種別の一覧と、前記検索対象項目として登録されていない施設種別の一覧とを区別して前記表示部に表示する工程と、
前記表示部に一覧表示された前記検索対象項目として登録されていない施設種別のうち指定された施設種別を検索対象に追加する工程と、
前記地図情報の検索対象範囲から前記検索対象項目として登録及び追加された施設種別の施設を検索する工程と、
前記検索の結果を前記表示部に表示する工程と、
を含むことを特徴としている。